(57)【特許請求の範囲】
【請求項１】
開始時間及び終了時間並びに物理チャンネルを含む録画予約に基づいてテレビ番組の記録を行い、
前記記録が終了すると、該記録の成否を判定する携帯無線端末であって、
録画結果をリスト表示する際には、所定のアイコンを前記予約毎に表示し、さらに該所定のアイコンに前記記録の成否を示す表示を重ねる
携帯無線端末。
【請求項２】
前記録画がなされた順番にて、複数の前記録画結果を所定の方向に並べてリスト表示する
請求項１に記載の携帯無線端末。
【請求項３】
前記記録の判定を、放送波の受信の復号結果に基づいて行う
請求項１または２に記載の携帯無線端末。
【請求項４】
前記所定のアイコンは、テレビのマークである
請求項１から３のいずれかに記載の携帯無線端末。
【発明の詳細な説明】
【技術分野】
【０００１】
本発明は、テレビの予約録画機能を有する携帯無線端末に関する。
【背景技術】
【０００２】
携帯電話の普及に伴い高機能化が要求され、最近では、テレビチューナを搭載したタイプが出現し、録画予約が可能になりつつある。
【０００３】
ところで、録画予約の内容は、携帯電話のスケジュール機能で確認することが出来る。放送番組を録画予約すると、携帯電話は、時間監視を行い、予約時間に達したときにアラームを鳴動させるとともに、テレビチューナを立ち上げ、録画を開始する。そして、録画終了後にテレビを自動終了する。
このことにより、待受画面のお知らせ表示に予約録画したデータが録画できたか否かを表示することが出来る。図９（ａ）（ｂ）に、スケジュールと、待受け画面に表示される内容がそれぞれ示されている。
【０００４】
また、携帯電話にテレビチューナを搭載し、テレビ操作にかかわるインタフェースを改善したものが多数提案されている。
例えば、予約番組からテレビのアプリケーションを起動するテレビ受信方法（例えば、特許文献１参照）、受信した放送データからフォントの色やスタイルを抽出し、携帯電話に反映するテレビ機能付携帯電話（例えば、特許文献２参照）、テレビアプリと電話アプリの機能を切り分け、それぞれに固有の動作を可能とさせるデジタル複合機（例えば、特許文献３参照）等が知られている。
【先行技術文献】
【特許文献】
【０００５】
【特許文献１】特開２００６−１５７８２０号公報
【特許文献２】特開２００６−１８６７６９号公報
【特許文献３】特開２００６−２８７８３８号公報
【発明の概要】
【発明が解決しようとする課題】
【０００６】
上記したように携帯電話においてもテレビの予約録画が可能になりつつあるが、家庭用とは異なり受信不良等により、比較的失敗率も高い。このため、予約録画が成功したか否かをユーザが簡単に確認するためのツールの出現が望まれていた。
【０００７】
本発明の目的は、予約録画が成功したか否かをユーザが簡単に確認できる、携帯無線端末を提供することにある。
【課題を解決するための手段】
【０００８】
本発明の携帯無線端末は、放送波を受信する放送受信部と、前記放送受信部により受信した放送番組を記録する放送記録部と、前記放送記録部による記録のスケジュールを記録するスケジュール記録部と、前記放送番組の表示および前記スケジュールに基づいた表示のいずれかを行う表示部と、前記スケジュール記録部にて記録の予約が行われた番組ごとに、未記録である予約の状態か記録済みの状態かを示すステータス情報と、記録が正常終了したか否かを示す成否情報とを対応付けて前記スケジュール記録部に記憶する制御部と、を備え、前記制御部は、前記スケジュールに基づいて前記放送受信部を起動して前記放送記録部による記録を開始する際に、前記予約番組のステータス情報を更新し、その後に前記放送記録部による記録を終了する際には当該記録が正常であるか否かを判定し、当該判定結果に基づいて前記成否情報も更新し、前記スケジュールに基づいた表示を前記表示部に行う際には、前記予約番組ごとのステータス情報および成否情報に基づいて、予約番組ごとの記録成否を表示させる。
【０００９】
また、本発明の携帯無線端末において、前記制御部は、前記スケジュールに基づいて前記放送受信部を起動した際、当該放送受信部における前記放送波の復号結果に基づいて前記放送記録部による記録が正常であるか否かを判定してもよい。
【００１０】
また、本発明の携帯無線端末において、前記制御部は、前記予約番組ごとのステータス情報および成否情報の対応関係を確認し、未記録である予約の状態のステータスが記録されているにもかかわらず成否情報が既に記録されている番組が生じれば、当該番組に関してのステータス情報および成否情報を修正するようにしてもよい。
【００１１】
また、好適には、同時刻の予約番組が複数重複している場合には、前記同時刻の番組のステータス情報を全て記録済みの状態とし、一の番組の記録を前記放送記録部により行うと共に、前記同時刻の他の番組の成否情報について正常終了しなかったことを記憶する。
【００１２】
また、本発明の携帯無線端末において、前記制御部は、前記スケジュールに基づいて、番組の終了時間になると、前記放送受信部を停止すると共に前記放送記録部による記録を停止して、前記判定を行うようにしてもよい。
【発明の効果】
【００１３】
本発明によれば、予約録画が成功したか否かをユーザが簡単に確認できる。
【図面の簡単な説明】
【００１４】
【図１】本発明の実施の形態に係わる携帯無線端末の外観構造の一例を示す図である。
【図２】本発明の実施の形態に係わる携帯無線端末の信号処理系の一例を示すブロック図である。
【図３】図２に示す制御部が実行するプログラムの構造を機能展開して示したブロック図である。
【図４】図２に示す記憶部に記憶されるスケジュールテーブルのデータ構造の一例を示す図である。
【図５】本発明の実施の形態に係わる携帯無線端末の予約録画動作を示すフローチャートである。
【図６】本発明の実施の形態に係わる携帯無線端末のスケジュール表示動作を示すフローチャートである。
【図７】本発明の実施の形態に係わる携帯無線端末のアプリレベルでの動作シーケンスを示す図である。
【図８】本発明の実施の形態に係わる携帯無線端末の録画の成否を示す画面構成の一例を示す図である。
【図９】従来の携帯無線端末の録画の成否を示す画面構成の一例を示す図である。
【発明を実施するための形態】
【００１５】
図１は、本発明の実施の形態に係る携帯無線端末の外観構造の一例を示す図である。ここでは、携帯無線端末として、テレビチューナ内蔵の折り畳み型携帯電話１０を想定している。
【００１６】
図１に示されるように、携帯電話１０は、上部筐体１０１と、下部筐体１０２と、ヒンジ部１０３とを有する。
【００１７】
図１（ａ）は、携帯電話１０が開かれた状態（開状態）を示した図であり、図１（ｂ）は携帯電話１０の折り畳まれた状態（閉状態）を示した図である。
【００１８】
図１（ａ）に示されるように、上部筐体１０１には、図１（ｂ）に示す携帯電話１０の閉状態においては外部には露出しない一面に表示部１４が配置されている。
また、図１（ａ）に示されるように、下部筐体１０２には、図１（ｂ）に示す携帯電話１０の閉状態において外部には露出しない一面に操作部１２が配置されている。
【００１９】
ヒンジ部１０３は、上部筐体１０１と下部筐体１０２とを開閉し、図１（ａ）に示す携帯電話１０の開状態と図１（ｂ）に示す閉状態とを遷移可能とする回転軸を有するヒンジ機構である。なお、携帯電話１０の開状態／閉状態は、後述する制御部１８により監視されており、不図示の制御部１８は、携帯電話１０の閉状態を検出することが可能である。
【００２０】
図２は、本発明の実施の形態に係る携帯無線端末の信号処理系の一例を示す構成ブロック図である。
【００２１】
図２に示されるように、携帯電話１０は、通信部１１と、操作部１２と、音声入出力部１３と、表示部１４と、放送受信部１５と、放送記録部１６と、記憶部１７と、制御部１８と、により構成される。
【００２２】
上記した通信部１１、操作部１２、音声入出力部１３、表示部１４、放送受信部１５、放送記録部１６、記憶部１７、制御部１８は、データ、コントロールのためのラインが複数本で構成されるシステムバス１９を介して共通接続され、構成される。
【００２３】
通信部１１は、複数の通信システムを捕捉し、ＣＤＭＡ２０００ １ｘ（以下、単に１ｘという）やＥＶＤＯ（Evolution-Data Optimized/only）の通信プロトコルにしたがい、公衆通信網に接続される不図示の基地局との間で無線通信を行う。
なお、ＥＶＤＯ通信は、１ｘ通信よりも高速であり、１ｘ通信は、ＥＶＤＯ通信と異なり、データ通信の他に音声通信もサポートするといった特徴を有している。
【００２４】
操作部１２は、例えば、電源キー、発信キー、数字キー、文字キー、方向キー、決定キー、発信キーなど、各種の機能が割り当てられたキーを有している。
操作部１２は、これらのキーがユーザによって操作された場合に、その操作内容に対応する信号を発生し、これをユーザの指示として制御部１８に入力する。
【００２５】
音声入出力部１３は、スピーカから出力される音声信号やマイクロフォンにおいて入力される音声信号の処理を行う。
すなわち、音声入出力部１３は、マイクロフォンから入力される音声を増幅し、アナログ−デジタル変換を行い、更に符号化等の信号処理を施し、デジタルの音声データに変換して制御部１８に出力する。
また、音声入出力部１３は、制御部１８又は、放送受信部１５から供給される音声データに復号化、デジタル−アナログ変換、増幅等の信号処理を施し、アナログの音声信号に変換してスピーカに出力する。
【００２６】
表示部１４は、例えば、液晶表示パネルや有機ＥＬ（Electro-Luminescence）パネルなどの表示デバイスを用いて構成されており、制御部１８から供給される映像信号に応じた画像を表示する。
表示部１４は、例えば、発信時における発信先の電話番号、着信時における着信相手の電話番号、受信メールや送信メールの内容、日付、時刻、電池残量、発信成否、待ち受け画面などの各種の情報を表示する。その他に表示部１４は、後述する放送受信部１５により受信される映像、および放送録画部１６により録画された映像を表示する。
【００２７】
放送受信部１５は、放送波、ここではテレビ放送、例えば１セグ放送（１セグメントを使用するデジタル放送）を受信し、内蔵する映像ＣＯＤＥＣ（COmpression & DECompression）、および音声ＣＯＤＥＣにより復号され生成される映像と音声信号を、制御部１８による制御の下、表示部１４、音声入出力部１３へ出力する。
【００２８】
放送記録部１６は、放送受信部１５が受信した放送番組を録画（記憶部１７の所定の領域に記憶）する、所謂、レコーダであり、録画アプリケーションプログラムでもある。
【００２９】
記憶部１７は、制御部１８において処理に利用される各種のデータを記憶する。
記憶部１７は、例えば、制御部１８に備わるプログラム、テレビアプリケーションプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。
ここでは、記憶部１７は、更に、放送記録部１６により録画された放送番組（映像および音声）を記憶する他、後述するスケジュールテーブル１７０も記憶する。スケジュールテーブル１７０のデータ構造等については後述する。
上記した記憶部１７は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３０】
制御部１８は、携帯電話１０の全体的な動作を統括的に制御する。
すなわち、制御部１８は、携帯電話１０の各種の処理が操作部１２の操作に応じて適切な手順で実行されるように、上述した各ブロックの動作を制御する。各種の処理とは、例えば、回線交換網を介して行われる音声通話、電子メールの作成と送受信、インターネットのＷｅｂ（World Wide Web）サイトの閲覧、放送受信、録画などである。また、各ブロックの動作は、例えば、通信部１１における信号の送受信、音声入出力部１３における音声の入出力、表示部１４における画像の表示、放送受信部１５における放送受信、放送記録部１６における録画などである。
制御部１８は、記憶部１７に格納されるプログラム（オペレーティングシステム、アプリケーションプログラム等）に基づいて処理を実行するコンピュータ（マイクロプロセッサ）を備えている。そして制御部１８は、このプログラムにおいて指示された手順に従って上述した処理を実行する。すなわち、制御部１８は、記憶部１７に格納されるオペレーティングシステムや、アプリケーションプログラム（テレビアプリ、録画アプリ、待受けアプリ、スケジュール帳アプリ等）の各種プログラムから命令コードを順次読み込んで処理を実行する。
【００３１】
制御部１８は、放送記録部１６による記録のスケジュールを管理する機能を有する。具体的には、記憶部１７（スケジュールテーブル１７０）に、予約番組毎に予約状態が記録済みか否かのステータス情報と、記録が成功したか否かを示す成否情報とを記憶する。そして、放送受信部１５（テレビアプリ）を起動して放送記録部１６（録画アプリ）による記録を開始する際に、予約番組のステータス情報を更新し、記録が正常終了したか否かに基づいて成否情報も更新し、予約番組毎の成否情報を表示部１４に表示する。
【００３２】
また、制御部１８は、予約番組の記録が成功したか否かについて、放送受信部１５による放送波の復号結果により判定する。
また、制御部１８は、更新が発生する都度、予約番組として記録待ちであるにもかかわらず成否情報が記憶されている予約番組については不整合であると判定し、修正を行う。
【００３３】
また、制御部１８は、同時刻の予約番組が複数重複している場合には、全ての予約番組のステータスを記録済みとし、実際に記録した予約番組以外については記録が正常終了しなかったことを記憶する。
また、制御部１８は、番組予約情報に基づいて、予約番組の放送終了時間になると、放送受信部１５による放送受信を停止するとともに放送記録部１６による放送記録を停止し、当該予約番組に記録成功を示すフラグを付与する。
【００３４】
このため、制御部１８は、実行するアプリケーションプログラムの構造が図３に機能展開され示されているように、テレビ受信処理部１８１と、録画処理部１８２と、待受け画面表示・処理部１８３と、スケジュールデータ処理部１８４と、スケジュール表示部１８５と、アラーム鳴動部１８６と、により構成される。
【００３５】
テレビ受信処理部１８１は、放送受信部１５を制御してテレビ放送を受信するテレビアプリに、録画処理部１８２は、放送記録部１６を制御して放送番組を録画する録画アプリに、待受け画面表示・処理部１８３は、表示部１４に待受け画面を表示する待受けアプリに、スケジュールデータ処理部１８４とスケジュール表示部１８５は、録画予約を含むスケジュールを管理するスケジュール帳アプリに、それぞれ相当するものである。
【００３６】
なお、記憶部１７の所定の領域には、スケジュールデータ処理部１８４による制御の下、登録された録画予約情報がスケジュールテーブル１７０の形式にて格納されており、そのデータ構造の一例は、図４に示されている。
【００３７】
図４に示されるように、スケジュールテーブル１７０には録画予約情報が複数記憶され、録画案件（番号）毎、アラーム時間、録画開始時間、終了時間、物理チャンネル、とが割り付けて記憶されている。そして、さらに、予約番組毎に予約状態が記録済みか否かを示す「録画フラグ」（ステータス情報）と、記録が成功したか否かを示す成否情報を示す「録画結果」と、についても割り付けられ記憶されている。
【００３８】
図５、図６は、本発明の実施の形態に係わる携帯無線端末の動作を示すフローチャートであり、図５は録画予約登録動作、図６は、スケジュール表示動作、のそれぞれを示す。
以下、図５、図６のフローチャートを参照しながら、図１〜図４に示す本発明の実施の形態に係わる携帯無線端末の動作について詳細に説明する。
【００３９】
まず、図５のフローチャートを参照して予約録画動作から説明する。制御部１８のスケジュールデータ処理部１８４は、記憶部１７の所定の領域に記憶される登録済みの録画予約情報であるスケジュールテーブル１７０を管理している。ここでは、該当の録画予約情報の録画フラグに“予約中”を設定しておく。
スケジュール表示部１８５は、スケジュールデータ処理部１８４による制御の下、記憶部１７から録画予約情報を取得してその内容を表示部１４に表示する。
【００４０】
一方でスケジュールデータ処理部１８４（スケジュール帳アプリ）は、予約時間の監視を行っており（ステップＳ１０１）、予約時間に到達した場合（ステップＳ１０１“Ｙｅｓ”）、アラーム鳴動部１８６を起動してアラームを鳴動させる（ステップＳ１０２）。
アラーム鳴動終了後、表示部１４は待受画面の表示に戻り、スケジュールデータ処理部１８４は、テレビ受信処理部１８１（テレビアプリ）を起動する（ステップＳ１０３）。
このとき、待受け画面表示・処理部１８３（待受けアプリ）は、該当する録画予約情報の「録画フラグ」を“録画中”に変更する（ステップＳ１０４）。
ここで、鳴動する録画予約情報が他にある場合、すなわち、同時刻に複数の放送番組が録画予約されていた場合（ステップＳ１０５“Ｙｅｓ”）、スケジュールデータ処理部１８４は、全ての録画予約番組の「録画フラグ」を“録画済”とする。一方、実際に記録した録画予約番組以外については「録画結果」を“ＮＧ”に設定する（ステップＳ１０６）。
【００４１】
上記した処理の後、あるいは同時刻の録画予約番組が一つであった場合（ステップＳ１０５“Ｎｏ”）、録画処理部１８２による録画が開始される（ステップＳ１０７）。その後、録画終了時間を検出すると録画が正常終了したか否かを判定する（ステップＳ１０８）。
録画が正常終了したか否かは、テレビ受信処理部１８１（テレビアプリ）が、放送受信部１５が内蔵する映像ＣＯＤＥＣと音声ＣＯＤＥＣの復号結果が所定の品質を満たしているか否かを判定することにより決定される。
【００４２】
続いて、待受画面表示・処理部１８３は、スケジュールデータ処理部１８４が管理しているスケジュールテーブル１７０の「録画フラグ」が“録画中”になっている録画予約情報を“録画済み”に変更する。そして更に、録画が正常終了した場合（ステップＳ１０８“Ｙｅｓ”）、
「録画結果」を“ＯＫ”に設定し（ステップＳ１０９）、録画が正常終了しなかった場合、「録画結果」を“ＮＧ”に設定する（ステップＳ１１０）。そして、テレビ受信処理部１８１途方送受信部１５と、録画処理部１８２と放送記録部１６とを終了させる。その後、待受画面表示・処理部１８３は、その録画結果を表示部１４に表示する（ステップＳ１１１）。
【００４３】
次に、図６のフローチャートを参照しながら録画予約情報の表示動作について説明する。
【００４４】
まず、スケジュールデータ処理部１８４によりスケジュール表示部１８５が起動されると（ステップＳ２０１）、スケジュール表示部１８５は、記憶部１７の所定の領域に記憶されたスケジュールテーブル１７０をアクセスする。そして、スケジュールに変更があると（ステップＳ２０２“Ｙｅｓ”）、表示部１４にその録画予約情報を表示する。
そして、スケジュールデータ処理部１８４はその内容を確認する。ここで、録画フラグと録画結果に不整合がある場合は（ステップＳ２０３“Ｙｅｓ”）、不整合を修正し（ステップＳ２０４）、表示部１４に表示する録画予約情報を更新し（ステップＳ２０５）、スケジュール表示部１８５により表示部１４に表示する（ステップＳ２０６）。
【００４５】
これは、アラーム破棄等によりアラームが鳴動しなかった場合も含む。また、このとき、「録画結果」の“ＯＫ／ＮＧ”の表示も行う。その他の情報については、ユーザにより編集されていない限り、そのまま表示を行う。
【００４６】
具体的に、スケジュール処理部１８４は、「録画フラグ」が“予約中”であって、「録画結果」が“ＮＵＬＬ”であった場合、正常であると判定し、スケジュール表示部１８５にて表示部１４に予約中であることを示すアイコンを表示する。図８に、画面表示の一例が示されている。
一方、「録画フラグ」が“予約中”であって、「録画結果」が“ＯＫまたはＮＧ”であった場合、予約（まだ録画が終了していない）にもかかわらず録画結果が入力されているのは不正であるためエラーと判定する。そして、「録画フラグ」を“録画済み”に、 「録画結果」を“ＮＧ”に修正する。
【００４７】
また、スケジュールデータ処理部１８４は、「録画フラグ」が“録画中”であって、「録画結果」が“ＮＵＬＬ”であった場合、バックグラント録画を考慮して正常であると判定し、スケジュール表示部１８５にて表示部１４に録画中アイコンを表示する。
具体的には、制御部１８がシングルタスクでなくマルチタスクの場合には、複数のアプリケーションを共に動作させることが出来る。この場合には、テレビアプリおよび放送受信部１５、さらに動画アプリと放送記録部１６とをバックグランドで動作させつつ、表面上は待受けアプリやスケジュール帳アプリを動作させることも可能となる。すなわち、このような表示上は待受画面やスケジュール画面を表示しつつも、バックグランドで録画が実行される状態をバックグラウンド録画という。
【００４８】
そして、バックグランド録画に対応可能な場合には、バックグランド録画中されている間にもスケジュールデータ処理部１８４が「録画フラグ」を確認することが発生しうる。この場合、スケジュール表示部１８５にて表示部１４に録画中アイコンを表示することが出来る。そして、ユーザはバックグランドで録画が進行していることを把握することが出来る。これにより、例えば、放送受信部による受信状態が変化しないように携帯電話１０を移動させないなどの対策を行うことが出来る。
なお、逆に、バックグランド録画を行わない場合は、録画中にスケジュールデータ処理部１８４を立ち上げる必要性が無い。つまり、録画中にスケジュール表示部１８５が録画予約情報にアクセスすることは無いため、エラーと判定してもよい。その場合は、「録画フラグ」を“録画済み”に、「録画結果」を“ＮＧ”に修正する。
また、スケジュールデータ処理部１８４は、「録画フラグ」が“録画中”であって、「録画結果」が“ＯＫまたはＮＧ”であった場合、バックグランド録画非対応の場合には同じ理由でエラーと判定し、「録画フラグ」を“録画済み”に、「録画結果」を“ＮＧ”に修正する。
【００４９】
また、スケジュールデータ処理部１８４は、「録画フラグ」が“録画済”で、「録画結果」が“ＮＵＬＬ”であった場合、録画済にもかかわらず、録画結果が設定されていないのは不正であるとして、エラーと判定し、「録画結果」を“ＮＧ”に修正する。
また、スケジュールデータ処理部１８４は、「録画フラグ」が“録画済”で、「録画結果」が“ＯＫ”であった場合、正常と判定し、スケジュール表示部１８５を介して表示部１４に録画ＯＫのアイコンを表示する。
また、「録画フラグ」が“録画済”で、「録画結果」が“ＮＧ”であった場合、正常と判定し、スケジュール表示部１８５にて表示部１４に録画失敗のアイコンを表示する。図８に画面表示の一例が示されている。
【００５０】
図７は、上記した動作を、アプリケーションプログラムの単位で捉えた場合の動作シーケンス図である。
ここでは、スケジュール帳アプリ、待受けアプリ、アラーム、テレビアプリ、そして、スケジュールテーブル１７０との間の処理およびデータの流れが示されている。
【００５１】
図７において、スケジュール帳アプリは、待受け画面アプリとの間で、スケジュールテーブル１７０中に設定された録画予約情報の確認、表示を行う（ステップＳ３０１）。
スケジュール帳アプリは録画予約時間の監視を行っており、予約時間に到達したときにアラームアプリを起動してアラームを鳴動させる（ステップＳ３０２）。
【００５２】
そして、アラーム鳴動終了後（ステップＳ３０３）、スケジュール帳アプリは、スケジュールテーブル１７０を参照して該当する予約録画情報の「録画フラグ」を“録画中”に更新する（ステップＳ３０４）。そして、テレビアプリを起動する（ステップＳ３０５）。同時に録画アプリにより録画処理が開始される。その後、終了時間が到来すると、録画終了とともに待受け画面に録画結果を表示する（ステップＳ３０６）。さらに、その結果は録画予約情報の「録画結果」に反映する（ステップＳ３０７）。以降、スケジュール帳アプリによる、「録画フラグ」「録画結果」の更新内容の確認、および不整合の修正が行われる（ステップＳ３０８）。
【００５３】
すなわち、録画フラグと録画結果に不整合がある場合は不整合を修正し、表示部１４に表示する録画予約情報を更新して表示部１４に表示する。
上記のように処理され、表示部１４に表示される、スケジュール画面の画面構成の一例を図８に示す。図８に示されるように、スケジュールテーブル１７０（予約録画情報）の内容が、録画予約番組毎、予約中、録画成功、あるいは録画失敗を示すアイコンとともに表示される。
【００５４】
以上説明のように本発明の実施の形態に係わる携帯無線端末によれば、録画結果をスケジュールに反映させることで、予約した録画が成功したか否かをスケジュール毎に一覧表示して見せることができ、ユーザに利便性を提供することができる。
また、不整合を修正することで、同時に録画を開始する予約があっても正常にスケジュール反映が可能である。
ワンセグアブリとスケジュール帳アプリは、本来、異なるアプリケーションプログラムであるが、テレビアプリを起動することなくスケジュール（カレンダ確認のみ）により録画結果を一覧表示することができる。また、テレビアプリの変更無しに本発明を実現できるため、サードパーティのテレビアプリの活用が可能である。
【００５５】
なお、本発明の実施の形態に係る携帯無線端末として携帯電話１０を例示したが、携帯電話１０に限らず、ＰＤＡ（Personal Digital Assistants）、やゲーム機等にも同様に適用が可能である。
【００５６】
また、本発明の実施の形態に係る携帯無線端末が有する各構成ブロックの機能は、全てをソフトウェアによって実現しても、あるいはその少なくとも一部をハードウェアで実現してもよい。例えば、予約番組毎に予約状態が記録済みか否かのステータス情報と、記録が成功したか否かを示す成否情報とを記憶する。そして、放送受信部１５を起動して放送記録部１６による記録を開始する際に、予約番組のステータス情報を更新する。さらに、記録が正常終了したか否かに基づいて成否情報も更新し、予約番組毎の成否情報を表示部１４に表示する。制御部１８におけるデータ処理は、１または複数のプログラムによりコンピュータ上で実現してもよく、また、その少なくとも一部をハードウェアで実現してもよい。
【符号の説明】
【００５７】
１０…携帯電話、１１…通信部、１２…操作部、１３…音声入出力部、１４…表示部、１５…放送受信部、１６…放送記録部、１７…記憶部、１８…制御部、１９…システムバス、１８１…ワンセグ受信処理部、１８２…録画処理部、１８３…待受け画面表示・処理部、１８４…スケジュールデータ処理部、１８５…スケジュール表示部、１８６…アラーム鳴動部。
【図１】
0005529215.tif 000002
【図２】
0005529215.tif 000003
【図３】
0005529215.tif 000004
【図４】
0005529215.tif 000005
【図５】
0005529215.tif 000006
【図６】
0005529215.tif 000007
【図７】
0005529215.tif 000008
【図８】
0005529215.tif 000009
【図９】
0005529215.tif 000010